(57)【要約】【課題】  除菌対象に供給する除菌成分の量を調整する衛生洗浄装置を提供することを課題とする。【解決手段】  便器５に配設される衛生洗浄装置１において、使用者の局部であるお尻を洗浄するお尻洗浄用ノズル３と、除菌成分として銀イオンを含む除菌液を生成する除菌液生成装置４と、除菌液をお尻洗浄用ノズル３と便器５との少なくとも一方に供給する除菌液生成装置４と、お尻洗浄用ノズル３と便器５との少なくとも一方に供給される除菌成分の量を調整する主弁２１と、を備える構成とする。【選択図】  図３
2017180015.tif 000002
【特許請求の範囲】
【請求項１】
便器に配設される衛生洗浄装置において、
使用者の局部を洗浄する洗浄手段と、
除菌成分を含む除菌液を生成する除菌液生成手段と、
前記除菌液を前記洗浄手段と前記便器との少なくとも一方に供給する除菌液供給手段と、
前記洗浄手段と前記便器との少なくとも一方に供給される前記除菌成分の量を調整する調整手段と、
を備える、
衛生洗浄装置。
【請求項２】
温度情報を取得する温度情報取得手段を備え、
前記調整手段は、前記温度情報取得手段が取得した前記温度情報に基づいて前記除菌成分の量を調整する、
請求項１に記載の衛生洗浄装置。
【請求項３】
前記便器の上に配設される便座を備え、
前記便座は、使用者が着座する着座面を有し、
前記温度情報は、前記着座面の周囲温度に係る情報である、
請求項２に記載の衛生洗浄装置。
【請求項４】
前記便座を加熱する便座ヒータを備え、
前記温度情報検出手段は、前記便座ヒータによって加熱された前記便座の着座面から放熱された熱量である放熱量に基づいて前記温度情報を取得する、
請求項３に記載の衛生洗浄装置。
【請求項５】
前記除菌成分には、銀イオンが含まれる、
請求項１乃至４のいずれか一項に記載の衛生洗浄装置。
【請求項６】
前記除菌液生成手段は、水の供給を受けて、前記水に前記除菌成分を加えて前記除菌液を生成し、
前記調整手段は、前記除菌液生成手段への前記水の供給量を調節することにより、前記洗浄手段と前記便器との少なくとも一方に供給される前記除菌成分の量を調整する、
請求項１乃至５のいずれか一項に記載の衛生洗浄装置。
【発明の詳細な説明】
【技術分野】
【０００１】
本発明は、人体局部を洗浄する衛生洗浄装置に関する。
【背景技術】
【０００２】
従来から、衛生洗浄装置として、人体の局部を温水で洗浄する洗浄ノズルに対し、温水を使用して生成した除菌液を供給することで洗浄ノズルを除菌する便座装置が知られている。例えば、特許文献１の便座装置は、温水タンク内に温水を生成する温水ヒータが配設されており、温水タンク内の水を加熱することで温水を生成するとともに温水を温水タンク内に貯留する。また、温水タンク内には除菌剤が配設されており、温水タンクに貯留している温水中に除菌剤が溶解することで、温水タンク内の温水は除菌性を有した除菌液となる。この除菌液は、お尻用ノズルとビデ用ノズルの中に供給されるとともに人体局部に対して噴出されて人体局部を洗浄する。さらに、ノズル洗浄口からお尻用ノズルとビデ用ノズルにこの除菌液を供給して、お尻用ノズルとビデ用ノズルを除菌する。その後、人体局部の洗浄、及びお尻用ノズルとビデ用ノズルの除菌において使用された除菌液の量と同等の水が温水タンク内に供給される。
【先行技術文献】
【特許文献】
【０００３】
【特許文献１】特開２００８−１２１３０３号公報
【発明の概要】
【０００４】
（発明が解決しようとする課題）
しかし、特許文献１の便座装置は、除菌対象であるお尻用ノズルとビデ用ノズルに供給される除菌成分の量を調製することができないため、供給される除菌成分の量にバラつきが生じ、十分な除菌効果が得られない可能性があった。
【０００５】
そこで、本発明は、除菌対象に供給する除菌成分の量を調整可能な衛生洗浄装置を提供することを課題とする。
（課題を解決するための手段）
本発明の衛生洗浄装置は、便器に配設される衛生洗浄装置において、使用者の局部を洗浄する洗浄手段と、除菌成分を含む除菌液を生成する除菌液生成手段と、除菌液を洗浄手段と便器との少なくとも一方に供給する除菌液供給手段と、洗浄手段と便器との少なくとも一方に供給される除菌成分の量を調整する調整手段と、を備える。
【０００６】
本発明に係る衛生洗浄装置によれば、洗浄手段と便器との少なくとも一方に供給される除菌成分の量を調整する調整手段を備えるため、洗浄手段と便器との少なくとも一方に供給される除菌成分の量を調整できる。したがって、従来よりも除菌効果のばらつきを抑制することができる。これにより洗浄手段や便器の清潔性を向上させることができる。
【０００７】
本発明の衛生洗浄装置において、温度情報を取得する温度情報取得手段を備え、調整手段は、温度情報取得手段が取得した温度情報に基づいて除菌成分の量を調整するとよい。これによれば、温度情報を取得する温度情報取得手段を備えるため、所望の位置の温度情報を取得することができる。したがって、温度によって除菌液中に含まれる除菌成分の量が異なる場合であっても、温度情報に基づいて、洗浄手段と便器との少なくとも一方に供給する除菌成分の量を調整することができる。
【０００８】
本発明の衛生洗浄装置において、便器の上に配設される便座を備え、便座は、使用者が着座する着座面を有し、温度情報は、着座面の周囲温度に係る情報であるとよい。これによれば、使用者が着座する便座の着座面の周囲温度を温度情報として取得することができ、着座面の周囲温度に基づいて洗浄手段と便器との少なくとも一方に供給する除菌成分の量を調整することができることができる。
【０００９】
本発明の衛生洗浄装置において、便座を加熱する便座ヒータを備え、温度情報検出手段は、便座ヒータによって加熱された便座の着座面から放熱された熱量である放熱量に基づいて温度情報を取得するとよい。これによれば、便座ヒータによって加熱された便座の着座面から放熱された熱量である放熱量に基づいて温度情報を取得することができ、この放熱量に基づいて、洗浄手段と便器との少なくとも一方に供給する除菌成分の量を調整することができる。
【００１０】
本発明の衛生洗浄装置において、除菌成分には、銀イオンが含まれるとよい。これによれば、洗浄手段と便器との少なくとも一方に供給する除菌成分として銀イオンが含まれるため、洗浄手段や便器の清潔性を向上させることができる。
【００１１】
本発明の衛生洗浄装置において、除菌液生成手段は、水の供給を受けて、水に除菌成分を加えて除菌液を生成し、調整手段は、除菌液生成手段への水の供給量を調節することにより、洗浄手段と便器との少なくとも一方に供給される除菌成分の量を調整するとよい。これによれば、除菌生成手段への水の供給量を調節するといった簡素な構成で除菌成分の量を調整することができる。
【図面の簡単な説明】
【００１２】
【図１】実施形態に係る衛生洗浄装置の外観斜視図である。
【図２】実施形態に係る衛生洗浄装置のII―II断面の模式図及び構成の概要を示す図である。
【図３】実施形態に係る衛生洗浄装置における水、温水及び除菌液の流れの概要及び後述する制御装置の電気的な接続の概要を示すブロック図である。
【図４】実施形態に係る衛生洗浄装置における除菌液生成装置の外観を示す模式図である。
【図５】便座の着座面の周囲温度と保熱量との相関を示す図である。
【図６】（ａ）便座の着座面の周囲温度が低い場合の便座ヒータの動作を示す図である。
【図６】（ｂ）便座の着座面の周囲温度が高い場合の便座ヒータの動作を示す図である。
【発明を実施するための形態】
【００１３】
以下に本発明に係る衛生洗浄装置の実施形態について、図を参照して説明する。図１は、本実施形態における衛生洗浄装置１（衛生洗浄装置）の外観を示す斜視図である。図２は、本実施形態における衛生洗浄装置１の後述する便座２のII―II断面の模式図及び構成の概要を示す図である。図３は、本実施形態に係る衛生洗浄装置１における水、温水及び除菌液の流れを示すブロック図である。図３に示すように、本実施形態に係る衛生洗浄装置１は、使用者の人体局部であるお尻を洗浄する洗浄手段としてお尻洗浄用ノズル３（洗浄手段）を備えて使用者のお尻を温水で洗浄するものである。この衛生洗浄装置１は、除菌成分を含む除菌液を生成する後述する除菌液生成装置４（除菌液生成手段）（図４参照）及びこの除菌液をお尻洗浄用ノズル３と便器５に供給する除菌液供給手段として除菌用ノズル６（除菌液供給手段）を備えており、お尻洗浄用ノズル３と便器５を除菌する。本実施形態において、除菌用ノズル６による除菌は、所定の時間間隔毎に行われる。
【００１４】
図１の衛生洗浄装置１は、後述する装置等を内部に有する本体部７（本体部７の詳細については後述する）、使用者が用便するときに着座する便座２、制御装置８（温度情報取得手段）、用便した後に便座２に被せる便蓋９、及び各種の設定や衛生洗浄装置１を作動させるときに使用者が操作する操作部１０を備える。本実施形態において、衛生洗浄装置１は、室内の床面に固定された陶製の洋式の便器５の上面に設置される。衛生洗浄装置１の本体部７が便器５の上面後方の縁部分において便器５と連結される。
【００１５】
図１、図２に示すように、便座２は、使用者が着座するものであり、樹脂製である。便座２は、上方に湾曲した板部材である上部部材１１と平坦な板部材である下部部材１２とが上下に接合されており、空洞部１３を有する中空構造となっている。便座２は、本体部７に対して上下方向に回動可能となるように本体部７に連結される。便座２の空洞部１３には、便座２を加熱する便座ヒータ１４（便座ヒータ）及び温度検知装置１５が設けられる。
【００１６】
便座ヒータ１４は、電力が供給されることで発熱するものであり、便座２の着座面１６（着座面）の裏面１７の形状に沿って裏面１７に接触するように配設された複数本のニクロム線である。便座ヒータ１４は、後述するスイッチング回路１８を介して、電力の供給源であるＡＣ電源１９と電気的に接続される。
【００１７】
温度検知装置１５は、温度情報を取得するものである。本実施形態において、温度検知装置１５は、温度変化に対して電気抵抗の変化が大きい抵抗体のサーミスタである。温度検知装置１５は、便座２の着座面１６の裏面１７に接触するようにニクロム線同士の間に配設される。温度検知装置１５は、後述する制御装置８と電気的に接続されており、着座面１６の裏面１７の温度であって、後述する裏面温度Ｔｂを温度情報として検知するとともに制御装置８に入力する。
【００１８】
制御装置８は、衛生洗浄装置１の動作を制御するものである。制御装置８は、スイッチング回路１８を備える。本実施形態において、スイッチング回路１８は、ベースに電流を流したときにスイッチＯＮ状態となり、ベースに電流を流したときにスイッチＯＦＦ状態となるトランジスタを用いる。これにより、スイッチング回路１８がＯＮ状態のとき、ＡＣ電源１９と便座ヒータ１４が電気的に接続される。一方、スイッチング回路１８がＯＦＦ状態のとき、ＡＣ電源１９と便座ヒータ１４は電気的に接続されない。
【００１９】
また制御装置８は、後述するように、お尻洗浄用ノズル３（図３参照）による洗浄の各操作のために、関連する装置の動作を制御する。
【００２０】
便蓋９は、使用者が用便した後に便座２に被せる蓋であって、樹脂製である。便蓋９は、本体部７に対して上下方向に回動可能となるように本体部７に連結される。
【００２１】
操作部１０は、便座２の温度が所望する温度となるように低温、中温及び高温に区分された温度設定レベルから一つの温度設定レベルを使用者が選択するときに操作される。本実施形態では、便座２の所望する温度を低温、中温、高温の三区分としたが、区分の数は必要に応じて増減させてもよい。また、操作部１０は、後述するお尻洗浄用ノズル３による使用者のお尻の洗浄の開始及び停止やお尻洗浄用ノズル３から吐出させる温水の量を設定、温水の温度の設定、洗浄する局部の位置の設定等をするときにも操作される。
【００２２】
次に、本体部７について図３を参照しながら説明する。図３には、水源Ｗから供給される水の流れが実線矢印で示され、温水の流れが白抜き矢印で示され、除菌液の流れが点線矢印で示され、制御装置８との電気的な接続が点線で示される。ここで、水源Ｗは、水を衛生洗浄装置１に供給する水道等である。
【００２３】
衛生洗浄装置１の本体部７は、第一配管２０、主弁２１（調整手段）、第二配管２２、流路切替装置２３、第三配管２４、温水生成装置２５、第四配管２６、お尻洗浄用ノズル３、第五配管２７、除菌液生成装置４、第六配管２８、除菌用ノズル６、お尻用除菌液吐出口２９及び便器用除菌液吐出口３０を備える。
【００２４】
第一配管２０は、一端が水源Ｗと接続され、他端が後述する主弁２１と接続される。これにより、水源Ｗと主弁２１とが第一配管２０によって連通され、水源Ｗから供給された水が第一配管２０を通って主弁２１に供給される。
【００２５】
主弁２１は、水源Ｗから供給された水を後述の流路切替装置２３に供給するか否かを弁の開閉によって制御する電磁弁である。主弁２１は、制御装置８と電気的に接続されており、制御装置８によって開閉制御される。主弁２１は、開状態にされることで水源Ｗから供給された水を流路切替装置２３に供給でき、閉状態にされることで流路切替装置２３への水の供給を遮断できる。主弁２１は、開状態と閉状態の時間を変えることで、流路切替装置２３に供給する水の量を調整する。
【００２６】
第二配管２２は、一端が主弁２１と接続され、他端が流路切替装置２３と接続される。これにより、主弁２１と流路切替装置２３とが第二配管２２によって連通され、水が主弁２１から第二配管２２を通って流路切替装置２３に供給される。
【００２７】
流路切替装置２３は、主弁２１と後述の温水生成装置２５とが連通する第一の状態又は主弁２１と除菌液生成装置４とが連通する第二の状態のどちらかとなるように流路の切り替えをするものである。流路切替装置２３は、電磁式の三ポート二位置切換弁であり、第一の状態又は第二の状態に切替えられる構成となっている。流路切替装置２３は、制御装置８と電気的に接続されており、制御装置８によって制御される。ここで、流路切替装置２３が第一の状態に制御されたとき、流路切替装置２３を介して第二配管２２と後述する第三配管２４とが連通されて、第二配管２２から流路切替装置２３に供給された水が第三配管２４に供給される。また、流路切替装置２３が第二の状態に制御されたとき、流路切替装置２３を介して第二配管２２と後述の第五配管２７とが連通されて、第二配管２２から流路切替装置２３に供給された水が第五配管２７に供給される。
【００２８】
第三配管２４は、一端が流路切替装置２３と接続され、他端が後述の温水生成装置２５と接続される。これにより、流路切替装置２３と温水生成装置２５とが第三配管２４によって連通され、流路切替装置２３から第三配管２４に供給された水が第三配管２４を通って温水生成装置２５に供給される。
【００２９】
温水生成装置２５は、温水タンク（図示しない）、温水タンク温度センサ（図示しない）及び温水タンクヒータ（図示しない）を備える。温水生成装置２５は、第三配管２４から温水生成装置２５に供給された水を加熱して温水を生成するものである。温水タンクは、樹脂製であり、温水タンクの内部に貯留空間が形成される。この貯留空間は、第三配管２４から供給された水と温水生成装置２５で生成した温水を貯留可能な構成である。
【００３０】
温水タンク温度センサは、温水タンクの貯留空間内に配設される。温水タンク温度センサは、制御装置８と電気的に接続されており、温水タンク内に貯留されている水と温水の温度情報を取得する。温水タンク温度センサは、この取得した温度情報を制御装置８へ入力する。
【００３１】
温水タンクヒータは、温水タンク内の下部に配設される。また、温水タンクヒータは、制御装置８と電気的に接続されており、制御装置８から電力を供給されることで温水タンクヒータの温度が上昇し、貯留している水を加熱して温水を生成する。このとき、温水タンクヒータは、前述のようにして温水タンク温度センサで取得した温度情報に基づいて、温度タンク内の温水の温度を所望の温度に加熱するように制御装置８に制御される、
第四配管２６は、一端が温水生成装置２５の温水タンクと接続され、他端が後述のお尻洗浄用ノズル３に接続される。これにより、温水生成装置２５とお尻洗浄用ノズル３とが第四配管２６によって連通され、温水生成装置２５で生成された温水が第四配管２６を通ってお尻洗浄用ノズル３に供給される。
【００３２】
お尻洗浄用ノズル３は、第四配管２６から供給された温水を吐出することで使用者のお尻を洗浄するものである。お尻洗浄用ノズル３は、お尻用ノズルシリンダ（図示しない）及びお尻用ノズル（図示しない）を備える。お尻洗浄用ノズル３は、お尻用ノズルシリンダにお尻用ノズルが収容可能に構成されており、お尻用ノズルがお尻用ノズルシリンダに対して進退可能となっている。また、お尻用ノズルの上方には、温水を吐出する温水吐出口が形成されており、この温水吐出口から温水を吐出する。
【００３３】
第五配管２７は、一端が流路切替装置２３と接続され、他端が後述の除菌液生成装置４の水供給口３１（図４参照）に接続される。これにより、流路切替装置２３と除菌液生成装置４とが第五配管２７によって連通され、流路切替装置２３から供給された水が第五配管２７を通って除菌液生成装置４に供給される。本実施形態において、第五配管２７は、柔軟性を有する樹脂製の中空筒状のホースである。
【００３４】
除菌液生成装置４は、お尻洗浄用ノズル３と便器５を除菌するための除菌成分を含む除菌液を生成するものである。除菌液生成装置４は、本体部７（図３参照）に配設されており、図４に示すように、内部が視認可能となるように透明な樹脂で形成されたケース３２を備える。ケース３２は、開閉自在に構成されている。ケース３２には、第五配管２７が接続される水供給口３１、後述の除菌用ノズル６が接続される除菌液排出口３３が形成される。水供給口３１はケース３２の下方に形成され、除菌液排出口３３はケース３２の上方に形成される。ケース３２の内部の下方には、除菌剤が配設される。この除菌剤は、水と接触することで溶解するとともに除菌成分を水に加える固形物である。本実施形態においては、金属イオンである銀イオンが除菌成分として水に加えられる。除菌液生成装置４は、水供給口３１からケース３２内に供給された水の量とほぼ同量の除菌液を除菌液排出口３３から流出させる構成である。
【００３５】
本実施形態のケース３２は、水供給口３１がケース３２の下方に形成されて、除菌液排出口３３がケース３２の上方に形成されており、水供給口３１から供給された水はケース３２の下方から上方に向かう。そのため、ケース３２内の除菌液が攪拌されて除菌液中の銀イオンの濃度が均一になりやすい。また、除菌液排出口３３が上方に形成されているため、除菌液の供給をしていない時に、ケース３２内で発生した対流等によって除菌液排出口３３から除菌液が流出してしまうのを抑制できる。これにより、後述する第六配管２８（図３参照）内におけるエア噛みの発生を抑制できる。
【００３６】
図３の第六配管２８は、一端が除菌液生成装置４の除菌液排出口３３と接続され、他端が除菌用ノズル６と接続される。これにより、除菌液生成装置４と除菌用ノズル６が第六配管２８によって連通され、除菌液生成装置４から第六配管２８に供給された除菌液が第六配管２８を通って除菌用ノズル６に供給される。本実施形態において、第六配管２８は、柔軟性を有する樹脂製の中空筒状のホースである。
【００３７】
除菌用ノズル６は、除菌液をお尻洗浄用ノズル３と便器５に供給することにより、お尻洗浄用ノズル３と便器５を除菌成分によって除菌するものである。除菌用ノズル６は、お尻用除菌液吐出口２９及び便器用除菌液吐出口３０を備える。これにより、除菌液生成装置４から除菌用ノズル６に供給された除菌液は、除菌用ノズル６のお尻用除菌液吐出口２９からお尻洗浄用ノズル３に向けて供給され、除菌用ノズル６の便器用除菌液吐出口３０から便器５に向けて供給される
上述のように、本実施形態の衛生洗浄装置１は、第二配管２２と、第三配管２４と、第四配管２６とを有し、水源Ｗとお尻洗浄用ノズル３を連通して、水源Ｗと接続された第一配管２０から供給された水を温水生成装置２５で加熱することで生成した温水をお尻洗浄用ノズル３に供給する通路、すなわち洗浄用通路３４を備えている。さらに、本実施形態の衛生洗浄装置１は、第五配管２７と、第六配管２８とを有し、水源Ｗと除菌用ノズル６とを連通して、水源Ｗと接続された第一配管２０から供給された水を除菌液生成装置４に供給し、除菌液生成装置４により生成された除菌液をお尻洗浄用ノズル３と便器５に供給する通路、すなわち除菌用通路３５を備えている。
【００３８】
したがって、除菌用通路３５の一端開口、すなわち、第五配管２７の一端開口は、洗浄用通路３４の第一配管２０と温水生成装置２５との間の通路である第二配管２２に流路切替装置２３を介して連通され、除菌用通路３５の他端開口、すなわち、第六配管２８の他端開口は除菌用ノズル６に連通されている。
【００３９】
次に、お尻洗浄用ノズル３と便器５との少なくとも一方に供給される除菌成分の量の調整に係る説明をする。前述のように、図４の除菌液生成装置４は、ケース３２内に配設された除菌剤に水供給口３１からケース３２内に供給された水を接触させて除菌剤を水に溶解させる。これにより、除菌剤から溶解した除菌成分が水に含有されて、除菌液が生成される。このとき、除菌剤と接触した水の温度によって、除菌剤が水へ溶解する速さ（以降、溶解速度とする）や水に溶解する除菌成分の限界量（以降、溶解度とする）が異なる。本実施形態の除菌剤は、除菌成分として銀イオンを溶出するものであり、接触した水の温度が高いほど溶解速度が速く（溶解しやすい）、接触した水の温度が低いほど溶解速度が遅い（溶解しにくい）性質を有するものである。さらに、この除菌剤は、接触した水の温度が高いほど、水に溶解する除菌成分である銀イオンの溶解度が上がり、接触した水の温度が低いほど、水に溶解する銀イオンの溶解度が下がる性質を有する。
【００４０】
したがって、お尻洗浄用ノズル３と便器５に供給する除菌液の量が同じ量であっても、除菌液生成装置４内の水の温度によって、お尻洗浄用ノズル３と便器５に供給された除菌液中に含まれる除菌成分の量が異なる。
【００４１】
除菌液生成装置４のケース３２内に配設された除菌剤と接触する水の温度について説明する。除菌剤と接触する水の温度は、ケース３２が配設されている本体部７内の温度とほぼ同じになっている。この本体部７内の温度は、本体部７を有する衛生洗浄装置１の周囲温度であって、本実施形態においては、図２の便座２の着座面１６の周囲の温度（以降、着座面の周囲の温度を着座面の周囲温度Ｔｏとする）としており、着座面の周囲温度Ｔｏは、衛生洗浄装置１が配設されている室内の室温とほぼ同じになっている。したがって、除菌剤と接触する水の温度は、衛生洗浄装置１が配設されている室内の室温である。よって、室温が高いほど除菌剤が水に溶解しやすくなり、水に含有する除菌成分である銀イオンの量が多くなる。一方、室温が低いほど除菌剤が水に溶解しにくくなり、水に含有する銀イオンの量が少なくなる。
【００４２】
以下に、制御装置８による便座２の着座面の周囲温度Ｔｏ（以降、室温とも呼ぶ）に係る温度情報の取得方法について説明する。本実施形態において、便座２の着座面の周囲温度Ｔｏに係る温度情報は、便座ヒータ１４によって加熱された便座２における着座面１６から放熱された熱量である放熱量を制御装置８が算出することで取得される。尚、この温度情報の取得方法は、例えば、特許５７５４１９３号公報等により知られており、詳細な説明は省略する。
【００４３】
便座２の着座面１６から放熱される放熱量Ｑ（放熱量）は、着座面の周囲温度Ｔｏにより変化する。ここで、着座面の周囲温度Ｔｏが高いほど放熱量Ｑが少なくなり、室温が低いほど放熱量Ｑが多くなる。なお、本実施形態においては、放熱量Ｑの算出を簡素化するため、図２に示すように、着座面の周囲温度Ｔｏ、着座面の温度Ｔｓ、着座面１６の裏面１７の裏面温度Ｔｂと定義し、便座２の裏面１７の裏面温度Ｔｂと着座面の温度Ｔｓとの温度差（Ｔｂ−Ｔｓ）を放熱量Ｑ（放熱量Ｑ＝Ｔｂ−Ｔｓとする）としている。着座面の周囲温度Ｔｏと着座面の温度Ｔｓとの放熱量Ｑとの関係は、図５に示すように、直線的な比例関係となる。本実施形態における放熱量Ｑは、着座面の周囲温度Ｔｏが０℃から４０℃まで上昇するとき、Ｑ0からＱ40まで低下する。着座面の周囲温度Ｔｏと放熱量Ｑとの相関関係を予め予備実験で算出し、この予備実験で算出された結果を放熱量マップとして制御装置８に記憶させておく。
【００４４】
このように、着座面の周囲温度Ｔｏによって着座面１６からの放熱量Ｑが異なることから、冬場のように着座面の周囲温度Ｔｏが低いときには放熱量Ｑが多いため、図６（ａ）に示すように、便座２の着座面の温度Ｔｓ及び着座面１６の裏面１７の裏面温度Ｔｂは低下しやすい。一方、着座面の周囲温度Ｔｏが高いときには、図６（ｂ）に示すように、便座２の着座面の温度Ｔｓ及び着座面１６の裏面１７の裏面温度Ｔｂの温度低下は緩やかになる。
【００４５】
便座ヒータ１４は、制御装置に制御される。着座面１６の裏面１７の裏面温度Ｔｂが着座面１６の裏面１７の裏面所望温度Ｔｂａとなるように制御装置８によって制御される。この裏面所望温度Ｔｂａは着座面の周囲温度Ｔｏが考慮される。制御装置８は、着座面１６の裏面１７の裏面温度Ｔｂが着座面１６の裏面１７の裏面所望温度Ｔｂａから所定の温度まで低くなったと判断すると、便座ヒータ１４に電力が供給されるようにスイッチング回路１８をＯＮ状態に制御する。そして、制御装置８は、着座面１６の裏面１７の裏面温度Ｔｂが着座面１６の裏面１７の裏面所望温度Ｔｂａとなったと判断すると、スイッチング回路１８をＯＦＦ状態に制御して便座ヒータ１４への電力の供給を遮断する。このとき、ＯＮ状態の時間はΔｔである。
【００４６】
前述のように、冬場のように着座面の周囲温度Ｔｏが低いときには便座２の着座面の温度Ｔｓ及び着座面１６の裏面１７の裏面温度Ｔｂは低下しやすい、すなわち放熱量Ｑが多くなるため、制御装置８は、ＡＣ電源１９から便座ヒータ１４に多くの電力が供給されるように制御する。本実施形態においては、ＡＣ電源１９から便座ヒータ１４に多くの電力を供給するために、図６(ａ)に示すように、スイッチング回路１８がＯＮ状態となっている時間を長くする、すなわち制御装置８は、スイッチング回路１８がＯＦＦ状態となっている時間ｔOFF（以降、オフ時間ｔOFF）を短くするように制御する。一方、夏場のように着座面の周囲温度Ｔｏが高いときには、放熱量Ｑが少なくなるため、周囲温度Ｔｏが低いときと比べてＡＣ電源１９から便座ヒータ１４に供給される電力が少なくてよい。そのため、制御装置８は、スイッチング回路１８がＯＮ状態となっている時間を短くする、すなわちスイッチング回路１８がＯＦＦ状態となっているオフ時間ｔOFFを長くするように制御する。
【００４７】
したがって、着座面の周囲温度Ｔｏによって、所定時間内におけるスイッチング回路１８がＯＦＦ状態となっているオフ時間ｔOFFが異なるため、スイッチング回路１８がＯＦＦ状態となっているオフ時間ｔOFFに基づいて、着座面の周囲温度Ｔｏに係る温度情報を取得することができる。
【００４８】
なお、スイッチング回路１８がＯＦＦ状態であったオフ時間ｔOFFと着座面の周囲温度Ｔｏとの相関関係を示した温度マップが、予め予備実験で算出されて、制御装置８に記憶されている。本実施形態における温度マップを算出する予備実験は、便座２の着座面の周囲温度Ｔｏを０℃から４０℃まで１℃間隔に変化させて、この周囲温度Ｔｏ毎に、所定時間ｔ0からｔ1までと同一の長さの時間内でのスイッチング回路１８がＯＦＦ状態であったオフ時間ｔOFFを算出して、スイッチング回路１８がＯＦＦ状態であったオフ時間ｔOFFと着座面の周囲温度との相関関係を求めるものである。
【００４９】
このようにして、制御装置８は、予備実験によって算出された放熱量マップ及び温度マップを備えている。便座ヒータ１４によって加熱された便座２の着座面１６から放熱された熱量である放熱量Ｑに基づいて便座２の着座面の周囲温度Ｔｏを取得し、この着座面の周囲温度に基づいて、お尻洗浄用ノズル３と便器５に対して供給する除菌成分の量を調整する。本実施形態において、制御装置８は、主弁２１の開時間を変えることで除菌液生成装置４への水の供給量を変えており、これにより除菌液生成装置４からお尻洗浄用ノズル３と便器５に供給される除菌液の量を変えることができる、すなわち主弁２１は、お尻洗浄用ノズル３と便器５に供給される除菌成分の量を調整する。
【００５０】
より具体的には、着座面の周囲温度Ｔｏが高い場合には、除菌液生成装置４に供給される水の温度も高いため、生成される除菌液に含まれる除菌成分の量が多くなり、制御装置８は、主弁２１の開時間を短くすることで除菌用ノズル６からお尻洗浄用ノズル３と便器５に供給する除菌液の量を少なくする。一方、着座面の周囲温度Ｔｏが低い場合には、水の温度も低く、除菌液に含まれる除菌成分が少ないため、制御装置８は、主弁２１の開時間を長くすることで除菌用ノズル６はお尻洗浄用ノズル３と便器５に供給する除菌液の量を多くする。本実施形態では、この供給する量を変化させることで、周囲温度に係らず、お尻洗浄用ノズル３と便器５に供給する除菌成分の量をほぼ一定の量に調整している。この一定の量は、お尻洗浄用ノズル３と便器５の除菌に必要となる適度な量としている。
【００５１】
このような構成を採ることにより、お尻洗浄用ノズル３と便器５との少なくとも一方に供給される除菌成分の量を調整することができる。したがって、従来よりも除菌効果のばらつきを抑制することができる。これによりお尻洗浄用ノズル３や便器５の清潔性を向上させることができる。
【００５２】
また、衛生洗浄装置１は、お尻洗浄用ノズル３と便器５に供給する除菌成分の量をほぼ一定の量に調整しているため、周囲温度に影響されずにお尻洗浄用ノズル３と便器５を除菌することができる。また、この一定の量をお尻洗浄用ノズル３と便器５の除菌に必要となる適度な量とすることで、お尻洗浄用ノズル３や便器５の清潔性を向上させるだけでなく、除菌剤の過剰な消耗を抑制することができる。
【００５３】
また、衛生洗浄装置１は、便座ヒータ１４によって加熱された便座２の着座面１６から放熱された熱量である放熱量Ｑに基づき、温度情報として着座面の周囲温度Ｔｏを取得しているため、着座面の裏面１７の裏面温度Ｔｂを検知する温度検知装置１５を備えていればよく、着座面の周囲温度Ｔｏを検知するための温度センサ等の検知器が不要となる。そのため衛生洗浄装置１をより簡素な構成とすることができるとともにコストアップを抑制することができる。
【００５４】
上述の実施形態において、衛生洗浄装置１は洗浄手段としてお尻洗浄用ノズル３を備える構成としたが、特にこれに限定するものではなく、例えば、洗浄手段として、お尻洗浄用ノズル３に加えて、女性の局部を洗浄するビデ洗浄用ノズルを備えても良い。この場合、お尻洗浄用ノズル３とビデ洗浄用ノズルへの温水の供給は、切替弁により選択的に切替ることができる。
【００５５】
また、衛生洗浄装置１が上述のようにしてビデ洗浄用ノズルを備える場合には、除菌用ノズル６にビデ洗浄用ノズルに除菌液を吐出するためのビデ用除菌液供給口が追加されても良い。或いは、ビデ洗浄用ノズルに除菌液を吐出するための除菌用ノズル６が追加されても良い。これにより、ビデ洗浄用ノズルを除菌することができる。
【００５６】
また、除菌用ノズル６から除菌液が供給されることにより、お尻洗浄用ノズル３と便器５の両方が除菌される構成とされているが、特にこれに限定するものではなく、例えば、お尻洗浄用ノズル３と便器５の少なくとも一方が除菌される構成であれば良い。
【００５７】
また、本実施形態の水回路の構成は図３としているが、他の構成であってもよい。例えば、除菌液生成装置４には水が供給される構成としているが、温水が供給される構成としてもよい。このような構成とすると、除菌用ノズル６にからお尻洗浄用ノズル３と便器５に除菌液が供給されるとともに温水生成装置２５から除菌液生成装置４に温水が供給されて、温水に除菌成分が含有される。そして、除菌成分の含有した温水（温かい除菌液）は、時間の経過とともに温かい除菌液の温度は低下して室温とほぼ同等の温度となる。温水で生成された除菌液中の除菌成分の量と水で生成された除菌液中の除菌成分の量の違いを考慮して、お尻洗浄用ノズル３と便器５に供給する除菌成分の量が適度な量となるように、お尻洗浄用ノズル３と便器５に供給する除菌液の量を調整すれば本実施形態と同様の効果が得られる。
【００５８】
また、お尻洗浄用ノズル３と便器５に除菌液を供給するタイミングは、使用者がお尻洗浄用ノズル３を使用した直後としてもよい。また、操作部１０に除菌の開始及び停止に係る除菌用スイッチを備えて使用者がこの除菌用スイッチを操作したときにお尻洗浄用ノズル３と便器５に除菌液を供給するとしてもよい。
【００５９】
また、本実施形態では主弁２１の開閉時間を調整する構成としたが、お尻洗浄用ノズル３と便器５に除菌液を供給するタイミングを、着座面の周囲温度Ｔｏに応じて、４時間毎や８時間毎のように所定の時間間隔毎に調整してもよい。また、四季に応じて時間間隔が設定されていてもよい。例えば、春や秋は８時間毎とし、夏は春や秋よりも短い間隔の４時間毎、冬は春や秋よりも長い間隔の１２時間のように設定するとよい。これによれば、四季による温度の影響を抑制することで除菌効果のばらつきが抑制できる。このとき、例えば制御装置８が、月日や時刻をカウントするタイマー機能を備えて、この月日や時刻の情報から四季を判断するとよい。
【００６０】
また、本実施形態では、主弁２１の開閉時間を調整することでお尻洗浄用ノズル３と便器５に供給する除菌成分の量を調整する構成としたが、主弁２１ではなく、他の構成によって調整する構成でもよい。このように、弁の開閉時間による調整に限定されるものではなくお尻洗浄用ノズル３や便器５に供給される除菌成分の量が調整できればよい。
【００６１】
また、本実施形態では、便座２の着座面１６からの放熱量Ｑで室温を算出する構成としたが、室温を測定するセンサ等の外気温検知手段を備える構成としてもよい。また、放熱量Ｑは、本実施形態で行った算出方法に限定されるものではなく、他の方法や算出方法で求めてもよい。
【００６２】
また、ケース３２は、透明としているが、ケース３２の内部の除菌剤が視認できれば半透明であってもよいし、内部の除菌剤の視認が不要であれば透明或いは半透明でなくてもよい。また、ケース３２の形状は他の形状であってもよい。
【００６３】
また、衛生洗浄装置１には上述した構成部品だけでなく、必要に応じて構成部品を加えてもよい。例えば、お尻洗浄用ノズル３やビデ洗浄用ノズルから噴出される温水の流量を調整する流量調整装置等を設けてもよい。また、除菌用ノズル６は、除菌液生成装置４と一体的に構成されていてもよいし、除菌用ノズル６を備えず、除菌液生成装置４から除菌対象へ直接除菌液を供給して除菌してもよい。また、除菌用ノズル６は、一つではなく、除菌対象それぞれに対して除菌用ノズル６を設けてもよい。また、除菌成分として銀イオンを例示したが、除菌成分は、除菌性を有していれば他の金属イオン等でもよい。
【００６４】
このように、上記した実施形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００６５】
５…便器
１…衛生洗浄装置
３…お尻洗浄用ノズル（洗浄手段）
４…除菌液生成装置（除菌液生成手段）
６…除菌用ノズル（除菌液供給手段）
２１…主弁（調整手段）
８…制御装置（温度情報取得手段）
２…便座
１６…着座面
１４…便座ヒータ
Ｔｏ…着座面の周囲温度
【図１】
2017180015.tif 000003
【図２】
2017180015.tif 000004
【図３】
2017180015.tif 000005
【図４】
2017180015.tif 000006
【図５】
2017180015.tif 000007
【図６】
2017180015.tif 000008